(57)【要約】【課題】  レコード会社やビデオ会社が街頭端末または店舗に置かれたコンピュータを使用して通常のまたは通常でない場所で製品を販売する機構を提供する。【解決手段】  複数のコンテンツを格納した複数のコンテンツ管理サーバ８１０と接続されたコンテンツの記録制御装置８０６、８０８により実行されるコンテンツの記録制御方法であって、着脱可能な記録媒体から、コンテンツ管理サーバ８１０の少なくとも１つ、および記録媒体に記録可能なコンテンツの数を特定する情報を含むライセンス情報を読み取り、ライセンス情報に対応するコンテンツ管理サーバに、ライセンス情報に対応する量の範囲内でコンテンツの要求情報を送信し、コンテンツ管理サーバ８１０から送信されるコンテンツを記録媒体に記録する。【選択図】  図８
2005326903.tif 000002
【特許請求の範囲】
【請求項１】
複数のコンテンツ管理サーバと接続されたコンテンツの記録制御装置であって、前記複数のコンテンツ管理サーバの各々は複数のコンテンツを格納しており、前記コンテンツの記録制御装置は、
着脱可能な記録媒体から、前記コンテンツ管理サーバの少なくとも１つおよび前記記録媒体に記録可能なコンテンツの量を特定する情報を含むライセンス情報を読み取る読取手段と、
前記ライセンス情報に対応するコンテンツ管理サーバに、前記ライセンス情報に対応する量の範囲内でコンテンツの要求情報を送信するコンテンツ要求情報送信手段と、
前記コンテンツの要求情報を受信したコンテンツ管理サーバから送信されるコンテンツを前記記録媒体に記録する記録制御手段と
を備えることを特徴とするコンテンツの記録制御装置。
【請求項２】
前記記録媒体はＣＤまたはＤＶＤであることを特徴とする請求項１に記載のコンテンツの記録制御装置。
【請求項３】
前記ライセンス情報は前記記録媒体のオープンセッションに記録されていることを特徴とする請求項１に記載のコンテンツの記録制御装置。
【請求項４】
前記ライセンス情報は前記記録媒体の容量を特定する情報を含むことを特徴とする請求項１に記載のコンテンツの記録制御装置。
【請求項５】
前記コンテンツのカタログの情報を記憶したカタログ情報記憶手段と、
前記カタログ情報記憶手段に記憶された情報に基づくカタログを表示する表示制御手段と、
前記表示制御手段により表示されたカタログに含まれるコンテンツの選択を受け付ける選択受付手段と
を更に備え、前記コンテンツ要求情報送信手段は前記選択受付手段により選択を受け付けたコンテンツの要求情報を送信することを特徴とする請求項１に記載のコンテンツの記録制御装置。
【請求項６】
前記表示制御手段は、前記カタログに含まれるコンテンツの情報のうち前記記録媒体に記録できないコンテンツの情報を表示しないことを特徴とする請求項５に記載のコンテンツの記録制御装置。
【請求項７】
前記カタログは多数の言語により記述されるカタログを含むことを特徴とする請求項５に記載のコンテンツの記録制御装置。
【請求項８】
前記ライセンス情報は前記言語を特定する情報を含み、前記表示制御手段は前記ライセンス情報に対応する言語のカタログを表示することを特徴とする請求項７に記載のコンテンツの記録制御装置。
【請求項９】
前記コンテンツの記録制御装置は前記カタログを記憶したカタログ管理サーバと接続されており、
前記カタログ管理サーバに、前記コンテンツのカタログの要求情報を送信するカタログ要求情報送信手段と、
前記カタログの要求情報を受信した前記カタログ管理サーバから送信されるカタログの情報を受信するカタログ受信手段と
を更に備え、前記カタログ情報記憶手段は、前記カタログ受信手段により受信された情報を記憶することを特徴とする請求項５に記載のコンテンツの記録制御装置。
【請求項１０】
前記カタログは標準のインターネットプロトコルで前記カタログ管理サーバから送信されることを特徴とする請求項９に記載のコンテンツの記録制御装置。
【請求項１１】
前記カタログはＨＴＭＬページの形態で前記カタログ管理サーバから送信されることを特徴とする請求項９に記載のコンテンツの記録制御装置。
【請求項１２】
前記コンテンツの記録制御装置はログを記録するログ管理サーバと更に接続されており、
前記ライセンス情報は前記ログ管理サーバを特定する情報を含み、
前記記録制御手段による記録に関するログを作成するログ作成手段と、
前記ライセンス情報に対応するログ管理サーバに、前記ログ作成手段により作成されたログを送信するログ送信手段を更に備えることを特徴とする請求項１に記載のコンテンツの記録制御装置。
【請求項１３】
前記コンテンツは、前記コンテンツの著作権者を特定する情報を含み、
前記ログ作成手段は、前記記録媒体の種類、前記コンテンツの著作権者、前記コンテンツの量、前記コンテンツ管理サーバを特定する情報を含むログを作成することを特徴とする請求項１２に記載のコンテンツの記録制御装置。
【請求項１４】
前記ログ送信手段は、前記ログをＨＴＴＰ  ＰＯＳＴコマンドを使用して送信することを特徴とする請求項１２に記載のコンテンツの記録制御装置。
【請求項１５】
前記ログ送信手段は、前記ＨＴＴＰ  ＰＯＳＴコマンドの送信元の有効性を検証するためのパスワードを更に送信することを特徴とする請求項１４に記載のコンテンツの記録制御装置。
【請求項１６】
前記ログ送信手段は、機密保護機能を有するインターネットの送信機構を使用して前記ＨＴＴＰ  ＰＯＳＴコマンドを実行することを特徴とする請求項１４に記載のコンテンツの記録制御装置。
【請求項１７】
前記コンテンツ管理サーバから送信されるコンテンツは暗号化されていることを特徴とする請求項１に記載のコンテンツの記録制御装置。
【請求項１８】
前記ライセンス情報は前記コンテンツを解読するコンテンツ復号キーを含み、前記記録制御手段は前記ライセンス情報に含まれるコンテンツ復号キーを使用して前記コンテンツを復号することを特徴とする請求項１７に記載のコンテンツの記録制御装置。
【請求項１９】
前記ライセンス情報は暗号化されていることを特徴とする請求項１に記載のコンテンツの記録制御装置。
【請求項２０】
前記ライセンス情報は該ライセンス情報を復号するための少なくとも１つのライセンス情報復号キーを含むことを特徴とする請求項１９に記載のコンテンツの記録制御装置。
【請求項２１】
前記読取手段により読み取られたライセンス情報を一時的に保持する保持手段と、
一時的に保持された前記情報から前記ライセンス情報復号キーを探索する探索手段と、
前記探索手段により探索されたライセンス情報復号キーを使用して一時的に保持された前記情報を復号する復号手段と
を更に備えることを特徴とする請求項２０に記載のコンテンツの記録制御装置。
【請求項２２】
前記復号手段は一時的に保持された前記情報に含まれる前記ライセンス情報復号キーの各々に続くバイトを読み出すことを特徴とする請求項２１に記載のコンテンツの記録制御装置。
【請求項２３】
前記ライセンス情報は前記記録媒体を識別する記録媒体識別子を含み、前記コンテンツ要求情報送信手段は前記記録媒体識別子を更に送信することを特徴とする請求項１に記載のコンテンツの記録制御装置。
【請求項２４】
前記記録媒体識別子は１６桁の１６進数であることを特徴とする請求項２３に記載のコンテンツの記録制御装置。
【請求項２５】
前記記録媒体識別子は前記記録媒体識別子自体の有効性を検証するための桁を含むことを特徴とする請求項２３に記載のコンテンツの記録制御装置。
【請求項２６】
前記コンテンツ管理サーバは前記ライセンス情報に対応する量の範囲内でコンテンツを特定するコンテンツ識別子を記憶しており、前記コンテンツの要求情報は前記コンテンツ識別子を含み、前記コンテンツの記録制御装置は前記コンテンツ管理サーバから前記コンテンツ識別子に対応するコンテンツを受信することを特徴とする請求項１に記載のコンテンツの記録制御装置。
【請求項２７】
コンピュータにより実行されるコンテンツの記録制御方法であって、
着脱可能な記録媒体から、複数のコンテンツを格納したコンテンツ管理サーバの少なくとも１つおよび前記記録媒体に記録可能なコンテンツの量を特定する情報を含むライセンス情報を読み取るステップと、
前記ライセンス情報に対応するコンテンツ管理サーバに、前記ライセンス情報に対応する量の範囲内でコンテンツの要求情報を送信するステップと、
前記コンテンツの要求情報を受信したコンテンツ管理サーバから送信されるコンテンツを前記記録媒体に記録するステップと
を備えることを特徴とするコンテンツの記録制御方法。
【請求項２８】
コンピュータを、
着脱可能な記録媒体から、複数のコンテンツを格納したコンテンツ管理サーバの少なくとも１つおよび前記記録媒体に記録可能なコンテンツの量を特定する情報を含むライセンス情報を読み取る読取手段、
前記ライセンス情報に対応するコンテンツ管理サーバに、前記ライセンス情報に対応する量の範囲内でコンテンツの要求情報を送信するコンテンツ要求情報送信手段、および
前記コンテンツの要求情報を受信したコンテンツ管理サーバから送信されるコンテンツを前記記録媒体に記録する記録制御手段として機能させることを特徴とするコンピュータプログラム。
【請求項２９】
請求項１に記載のコンテンツの記録制御装置と、
複数のコンテンツを格納した複数のコンテンツ管理サーバと
を備えることを特徴とするコンテンツの記録制御システム。
【請求項３０】
前記コンテンツ管理サーバは、
前記ライセンス情報に対応する量の範囲内でコンテンツを特定するコンテンツ識別子を記憶したコンテンツ識別子記憶手段と、
前記コンテンツの記録制御装置から前記コンテンツ識別子を含む前記コンテンツの要求情報を受信するコンテンツ要求情報受信手段と、
前記コンテンツ要求情報受信手段により受信したコンテンツ識別子に対応するコンテンツを送信するコンテンツ送信手段と
を有することを特徴とする請求項２９に記載のコンテンツの記録制御システム。
【請求項３１】
携帯端末を更に備え、
前記コンテンツ管理サーバは前記携帯端末から前記コンテンツを特定する情報および前記携帯端末の識別子を受信する識別子受信手段を有し、前記識別子受信手段により受信した識別子をコンテンツ識別子として前記コンテンツ識別子記憶手段に記憶することを特徴とする請求項３０に記載のコンテンツの記録制御システム。
【請求項３２】
前記コンテンツの記録制御装置は前記コンテンツのカタログの情報を記憶したカタログ管理サーバと更に接続されており、
前記携帯端末は、
前記カタログ管理サーバにより送信された情報に基づくカタログを表示する表示制御手段と、
前記表示制御手段により表示されたカタログに含まれるコンテンツの選択を受け付ける選択受付手段と、
前記選択受付手段により選択を受け付けたコンテンツを特定する情報と前記携帯端末の識別子とを前記コンテンツ管理サーバに送信するコンテンツ選択情報送信手段と
を有することを特徴とする請求項３１に記載のコンテンツの記録制御システム。
【請求項３３】
複数のコンテンツを格納した複数のコンテンツ管理サーバと、前記コンテンツのカタログを記憶したカタログ管理サーバと、コンテンツの記録制御を行うコンピュータと、携帯端末とを備えるコンテンツの記録制御システムにより実行されるコンテンツの記録制御方法であって、
前記カタログ管理サーバにおいて、前記携帯端末から送信された前記コンテンツを特定する情報および前記携帯端末の識別子を記憶するステップと、
前記コンピュータにおいて、着脱可能な記録媒体から、前記コンテンツ管理サーバの少なくとも１つを特定する情報を含むライセンス情報を読み取るステップと、
前記コンピュータにおいて前記識別子の入力を受け、前記カタログ管理サーバに前記識別子を送信するステップと、
前記カタログ管理サーバにおいて、前記コンピュータから送信された識別子に対応するコンテンツを特定する情報を前記コンピュータに送信するステップと、
前記コンピュータにおいて、前記ライセンス情報に対応するコンテンツ管理サーバに、前記カタログ管理サーバから送信されたコンテンツを特定する情報に対応するコンテンツの要求情報を送信するステップと
前記コンピュータにおいて、前記コンテンツ管理サーバから送信されたコンテンツを前記記録媒体に記録するステップと
を備えることを特徴とするコンテンツの記録制御方法。
【請求項３４】
複数のコンテンツ管理サーバと接続されたコンテンツの記録制御装置であって、前記複数のコンテンツ管理サーバの各々は複数のコンテンツを格納しており、前記コンテンツの記録制御装置は、
携帯端末から、前記コンテンツ管理サーバの少なくとも１つおよび前記記録媒体に記録可能なコンテンツの量を特定する情報を含むライセンス情報を受信する受信手段と、
前記ライセンス情報に対応するコンテンツ管理サーバに、前記ライセンス情報に対応する量の範囲内でコンテンツの要求情報を送信するコンテンツ要求情報送信手段と、
前記コンテンツの要求情報を受信したコンテンツ管理サーバから送信されるコンテンツを記録媒体に記録する記録制御手段と
を備えることを特徴とするコンテンツの記録制御装置。
【請求項３５】
前記記録媒体は前記携帯端末に装着されていることを特徴とする請求項３４に記載のコンテンツの記録制御装置。
【請求項３６】
前記コンテンツの記録制御装置はログを記録するログ管理サーバと更に接続されており、
前記ライセンス情報は前記ログ管理サーバを特定する情報を含み、
前記記録制御手段による記録に関するログを作成するログ作成手段と、
前記ライセンス情報に対応するログ管理サーバに、前記ログ作成手段により作成されたログを送信するログ送信手段を更に備えることを特徴とする請求項３４に記載のコンテンツの記録制御装置。
【請求項３７】
前記コンテンツは、前記コンテンツの著作権者を特定する情報を含み、
前記ログ作成手段は、前記記録媒体の種類、前記コンテンツの著作権者、前記コンテンツの量、前記コンテンツ管理サーバを特定する情報を含むログを作成することを特徴とする請求項３６に記載のコンテンツの記録制御装置。
【請求項３８】
前記ログ送信手段は、前記ログをＨＴＴＰ  ＰＯＳＴコマンドを使用して送信することを特徴とする請求項３６に記載のコンテンツの記録制御装置。
【請求項３９】
前記ログ送信手段は、前記ＨＴＴＰ  ＰＯＳＴコマンドの送信元の有効性を検証するためのパスワードを更に送信することを特徴とする請求項３８に記載のコンテンツの記録制御装置。
【請求項４０】
前記ログ送信手段は、機密保護機能を有するインターネットの送信機構を使用して前記ＨＴＴＰ  ＰＯＳＴコマンドを実行することを特徴とする請求項３８に記載のコンテンツの記録制御装置。
【請求項４１】
前記コンテンツ管理サーバから送信されるコンテンツは暗号化されていることを特徴とする請求項３４に記載のコンテンツの記録制御装置。
【請求項４２】
前記ライセンス情報は前記コンテンツを解読するコンテンツ復号キーを含み、前記記録制御手段は前記ライセンス情報に含まれるコンテンツ復号キーを使用して前記コンテンツを復号することを特徴とする請求項４１に記載のコンテンツの記録制御装置。
【請求項４３】
前記ライセンス情報は暗号化されていることを特徴とする請求項３４に記載のコンテンツの記録制御装置。
【請求項４４】
前記ライセンス情報は該ライセンス情報を復号するための少なくとも１つのライセンス情報復号キーを含むことを特徴とする請求項４３に記載のコンテンツの記録制御装置。
【請求項４５】
前記読取手段により読み取られたライセンス情報を一時的に保持する保持手段と、
一時的に保持された前記情報から前記ライセンス情報復号キーを探索する探索手段と、
前記探索手段により探索されたライセンス情報復号キーを使用して一時的に保持された前記情報を復号する復号手段と
を更に備えることを特徴とする請求項４４に記載のコンテンツの記録制御装置。
【請求項４６】
前記復号手段は一時的に保持された前記情報に含まれる前記ライセンス情報復号キーの各々に続くバイトを読み出すことを特徴とする請求項４５に記載のコンテンツの記録制御装置。
【請求項４７】
前記コンテンツ管理サーバは前記ライセンス情報に対応する量の範囲内でコンテンツを特定するコンテンツ識別子を記憶しており、前記コンテンツの要求情報は前記コンテンツ識別子を含み、前記コンテンツの記録制御装置は前記コンテンツ管理サーバから前記コンテンツ識別子に対応するコンテンツを受信することを特徴とする請求項３４に記載のコンテンツの記録制御装置。
【請求項４８】
コンピュータにより実行されるコンテンツの記録制御方法であって、
着脱可能な記録媒体から、複数のコンテンツを格納したコンテンツ管理サーバの少なくとも１つおよび前記記録媒体に記録可能なコンテンツの量を特定する情報を含むライセンス情報を読み取るステップと、
前記ライセンス情報に対応するコンテンツ管理サーバに、前記ライセンス情報に対応する量の範囲内でコンテンツの要求情報を送信するステップと、
前記コンテンツの要求情報を受信したコンテンツ管理サーバから送信されるコンテンツを記録媒体に記録するステップと
を備えることを特徴とするコンテンツの記録制御方法。
【請求項４９】
コンピュータを、
携帯端末から、複数のコンテンツを格納したコンテンツ管理サーバの少なくとも１つおよび着脱可能な記録媒体に記録可能なコンテンツの量を特定する情報を含むライセンス情報を受信する受信手段、
前記ライセンス情報に対応するコンテンツ管理サーバに、前記ライセンス情報に対応する量の範囲内でコンテンツの要求情報を送信するコンテンツ要求情報送信手段、および
前記コンテンツの要求情報を受信したコンテンツ管理サーバから送信されるコンテンツを記録媒体に記録する記録制御手段として機能させることを特徴とするコンピュータプログラム。
【請求項５０】
請求項３４に記載のコンテンツの記録制御装置と、
複数のコンテンツを格納した複数のコンテンツ管理サーバと
を備えることを特徴とするコンテンツの記録制御システム。
【請求項５１】
前記コンテンツ管理サーバは、
前記ライセンス情報に対応する量の範囲内でコンテンツを特定するコンテンツ識別子を記憶したコンテンツ識別子記憶手段と、
前記携帯端末から前記コンテンツの記録制御装置を介して前記コンテンツ識別子を含む前記コンテンツの要求情報を受信するコンテンツ要求情報受信手段と、
前記コンテンツ要求情報受信手段により受信したコンテンツ識別子に対応するコンテンツを送信するコンテンツ送信手段と
を有することを特徴とする請求項５０に記載のコンテンツの記録制御システム。
【請求項５２】
前記コンテンツ管理サーバは前記携帯端末から前記コンテンツを特定する情報および前記携帯端末の識別子を受信する識別子受信手段を有し、前記識別子受信手段により受信した識別子をコンテンツ識別子として前記コンテンツ識別子記憶手段に記憶することを特徴とする請求項５１に記載のコンテンツの記録制御システム。
【請求項５３】
前記コンテンツの記録制御装置は前記コンテンツのカタログの情報を記憶したカタログ管理サーバと更に接続されており、
前記携帯端末は、
前記カタログ管理サーバにより送信された情報に基づくカタログを表示する表示制御手段と、
前記表示制御手段により表示されたカタログに含まれるコンテンツの選択を受け付ける選択受付手段と、
前記選択受付手段により選択を受け付けたコンテンツを特定する情報と前記携帯端末の識別子とを前記コンテンツ管理サーバに送信するコンテンツ選択情報送信手段と
を有することを特徴とする請求項５２に記載のコンテンツの記録制御システム。
【請求項５４】
複数のコンテンツを格納した複数のコンテンツ管理サーバと、前記コンテンツのカタログを記憶したカタログ管理サーバと、コンテンツの記録制御を行うコンピュータと、携帯端末とを備えるコンテンツの記録制御システムにより実行されるコンテンツの記録制御方法であって、
前記カタログ管理サーバにおいて、前記携帯端末から送信された前記コンテンツを特定する情報および前記携帯端末の識別子を記憶するステップと、
前記コンピュータにおいて、前記携帯端末から、前記コンテンツ管理サーバの少なくとも１つを特定する情報を含むライセンス情報を受信するステップと、
前記コンピュータにおいて前記識別子の入力を受け、前記カタログ管理サーバに前記識別子を送信するステップと、
前記カタログ管理サーバにおいて、前記コンピュータから送信された識別子に対応するコンテンツを特定する情報を前記コンピュータに送信するステップと、
前記コンピュータにおいて、前記ライセンス情報に対応するコンテンツ管理サーバに、前記カタログ管理サーバから送信されたコンテンツを特定する情報に対応するコンテンツの要求情報を送信するステップと
前記コンピュータにおいて、前記コンテンツ管理サーバから送信されたコンテンツを前記記録媒体に記録するステップと
を備えることを特徴とするコンテンツの記録制御方法。
【発明の詳細な説明】
【技術分野】
【０００１】
本発明はコンテンツの記録制御装置、記録制御システム、記録制御方法およびコンピュータプログラムに関し、より具体的には、楽曲や映画等のコンテンツをＣＤ、ＤＶＤ等の着脱可能な記録媒体に記録するためのコンテンツの記録制御装置、記録制御システム、記録制御方法およびコンピュータプログラムに関する。
【背景技術】
【０００２】
近年、コンビニエンスストア、ガソリンスタンド、書店、キオスク等、通常音楽やビデオを販売しない場所においてＣＤやビデオ、ＤＶＤ等を販売するようになっている。このような販売場所の多様化により、音楽会社やビデオ製作会社において製品を販売することが非常に難しくなってきている。
【０００３】
何年もの間、音楽、ビデオ、本、ゲームなどのメディアの製作者や販売者は、多数の顧客にメディア製品（コンテンツ）を配信（販売）するために必要なビジネスの方法（モデル）の設計に取り組んできた。広範囲での配信の達成には可能な限り多くの場所でコンテンツの販売が要求される。
【０００４】
同時に、増え続ける膨大な音楽アルバムをストックする場所がない小売店は、これらのタイプのコンテンツを販売するために必要なスペースの問題に取り組んできた。
【０００５】
このような状況に鑑み、ネットワークに接続された端末を店舗に配置し、音楽や映像データをダウンロードする技術が案出されている。ディジタルメディアの発明は、ディスクまたは印刷された紙などの物理的な記録媒体上に一度だけ配信され記録されるコンテンツの配信のための機会を提供する。例えば、特許文献１によれば、管理センタが公衆回線を介して自動販売機に音楽や映像データを配信し、自動販売機においてその配信されたデータを記録手段によって未記録媒体収納手段に収納された記録媒体に記録する。
【０００６】
【特許文献１】特開平１１−１４４３８４号公報
【発明の開示】
【発明が解決しようとする課題】
【０００７】
しかしながら、上述した従来の技術では、顧客は端末を操作して所望のレコード会社等のサイトへアクセスしなければならず、操作が煩雑であるという問題があった。
【０００８】
また、自動販売機による楽曲の提供では当該機器内に未記録媒体を収納しなければならず、店舗において媒体管理のための労力が必要であるという問題があった。
【０００９】
本発明はこのような問題に鑑みてなされたものであり、その目的とするところは、レコード会社やビデオ会社が街頭端末または店舗に置かれたコンピュータを使用して通常のまたは通常でない場所で製品を効率的に販売する機構を提供することができるコンテンツの記録制御装置、記録制御システム、記録制御方法およびコンピュータプログラムを提供することにある。
【課題を解決するための手段】
【００１０】
このような目的を達成するために、請求項１に記載の発明は、複数のコンテンツ管理サーバと接続されたコンテンツの記録制御装置であって、前記複数のコンテンツ管理サーバの各々は複数のコンテンツを格納しており、前記コンテンツの記録制御装置は、着脱可能な記録媒体から、前記コンテンツ管理サーバの少なくとも１つおよび前記記録媒体に記録可能なコンテンツの量を特定する情報を含むライセンス情報を読み取る読取手段と、前記ライセンス情報に対応するコンテンツ管理サーバに、前記ライセンス情報に対応する量の範囲内でコンテンツの要求情報を送信するコンテンツ要求情報送信手段と、前記コンテンツの要求情報を受信したコンテンツ管理サーバから送信されるコンテンツを前記記録媒体に記録する記録制御手段とを備えることを特徴とする。
【００１１】
また、請求項２に記載の発明は、請求項１に記載のコンテンツの記録制御装置において、前記記録媒体はＣＤまたはＤＶＤであることを特徴とする。
【００１２】
また、請求項３に記載の発明は、請求項１に記載のコンテンツの記録制御装置において、前記ライセンス情報は前記記録媒体のオープンセッションに記録されていることを特徴とする。
【００１３】
また、請求項４に記載の発明は、請求項１に記載のコンテンツの記録制御装置において、前記ライセンス情報は前記記録媒体の容量を特定する情報を含むことを特徴とする。
【００１４】
また、請求項５に記載の発明は、請求項１に記載のコンテンツの記録制御装置において、前記コンテンツのカタログの情報を記憶したカタログ情報記憶手段と、前記カタログ情報記憶手段に記憶された情報に基づくカタログを表示する表示制御手段と、前記表示制御手段により表示されたカタログに含まれるコンテンツの選択を受け付ける選択受付手段とを更に備え、前記コンテンツ要求情報送信手段は前記選択受付手段により選択を受け付けたコンテンツの要求情報を送信することを特徴とする。
【００１５】
また、請求項６に記載の発明は、請求項５に記載のコンテンツの記録制御装置において、前記表示制御手段は、前記カタログに含まれるコンテンツの情報のうち前記記録媒体に記録できないコンテンツの情報を表示しないことを特徴とする。
【００１６】
また、請求項７に記載の発明は、請求項５に記載のコンテンツの記録制御装置において、前記カタログは多数の言語により記述されるカタログを含むことを特徴とする。
【００１７】
また、請求項８に記載の発明は、請求項７に記載のコンテンツの記録制御装置において、前記ライセンス情報は前記言語を特定する情報を含み、前記表示制御手段は前記ライセンス情報に対応する言語のカタログを表示することを特徴とする。
【００１８】
また、請求項９に記載の発明は、請求項５に記載のコンテンツの記録制御装置において、前記コンテンツの記録制御装置は前記カタログを記憶したカタログ管理サーバと接続されており、前記カタログ管理サーバに、前記コンテンツのカタログの要求情報を送信するカタログ要求情報送信手段と、前記カタログの要求情報を受信した前記カタログ管理サーバから送信されるカタログの情報を受信するカタログ受信手段とを更に備え、前記カタログ情報記憶手段は、前記カタログ受信手段により受信された情報を記憶することを特徴とする。
【００１９】
また、請求項１０に記載の発明は、請求項９に記載のコンテンツの記録制御装置において、前記カタログは標準のインターネットプロトコルで前記カタログ管理サーバから送信されることを特徴とする。
【００２０】
また、請求項１１に記載の発明は、請求項９に記載のコンテンツの記録制御装置において、前記カタログはＨＴＭＬページの形態で前記カタログ管理サーバから送信されることを特徴とする。
【００２１】
また、請求項１２に記載の発明は、請求項１に記載のコンテンツの記録制御装置において、前記コンテンツの記録制御装置はログを記録するログ管理サーバと更に接続されており、前記ライセンス情報は前記ログ管理サーバを特定する情報を含み、前記記録制御手段による記録に関するログを作成するログ作成手段と、前記ライセンス情報に対応するログ管理サーバに、前記ログ作成手段により作成されたログを送信するログ送信手段を更に備えることを特徴とする。
【００２２】
また、請求項１３に記載の発明は、請求項１２に記載のコンテンツの記録制御装置において、前記コンテンツは、前記コンテンツの著作権者を特定する情報を含み、前記ログ作成手段は、前記記録媒体の種類、前記コンテンツの著作権者、前記コンテンツの量、前記コンテンツ管理サーバを特定する情報を含むログを作成することを特徴とする。
【００２３】
また、請求項１４に記載の発明は、請求項１２に記載のコンテンツの記録制御装置において、前記ログ送信手段は、前記ログをＨＴＴＰ  ＰＯＳＴコマンドを使用して送信することを特徴とする。
【００２４】
また、請求項１５に記載の発明は、請求項１４に記載のコンテンツの記録制御装置において、前記ログ送信手段は、前記ＨＴＴＰ  ＰＯＳＴコマンドの送信元の有効性を検証するためのパスワードを更に送信することを特徴とする。
【００２５】
また、請求項１６に記載の発明は、請求項１に記載のコンテンツの記録制御装置において、請求項１４に記載のコンテンツの記録制御装置において、前記ログ送信手段は、機密保護機能を有するインターネットの送信機構を使用して前記ＨＴＴＰ  ＰＯＳＴコマンドを実行することを特徴とする。
【００２６】
また、請求項１７に記載の発明は、前記コンテンツ管理サーバから送信されるコンテンツは暗号化されていることを特徴とする。
【００２７】
また、請求項１８に記載の発明は、請求項１７に記載のコンテンツの記録制御装置において、前記ライセンス情報は前記コンテンツを解読するコンテンツ復号キーを含み、前記記録制御手段は前記ライセンス情報に含まれるコンテンツ復号キーを使用して前記コンテンツを復号することを特徴とする。
【００２８】
また、請求項１９に記載の発明は、請求項１に記載のコンテンツの記録制御装置において、前記ライセンス情報は暗号化されていることを特徴とする。
【００２９】
また、請求項２０に記載の発明は、請求項１９に記載のコンテンツの記録制御装置において、前記ライセンス情報は該ライセンス情報を復号するための少なくとも１つのライセンス情報復号キーを含むことを特徴とする。
【００３０】
また、請求項２１に記載の発明は、請求項２０に記載のコンテンツの記録制御装置において、前記読取手段により読み取られたライセンス情報を一時的に保持する保持手段と、一時的に保持された前記情報から前記ライセンス情報復号キーを探索する探索手段と、前記探索手段により探索されたライセンス情報復号キーを使用して一時的に保持された前記情報を復号する復号手段とを更に備えることを特徴とする。
【００３１】
また、請求項２２に記載の発明は、請求項２１に記載のコンテンツの記録制御装置において、前記復号手段は一時的に保持された前記情報に含まれる前記ライセンス情報復号キーの各々に続くバイトを読み出すことを特徴とする。
【００３２】
また、請求項２３に記載の発明は、請求項１に記載のコンテンツの記録制御装置において、前記ライセンス情報は前記記録媒体を識別する記録媒体識別子を含み、前記コンテンツ要求情報送信手段は前記記録媒体識別子を更に送信することを特徴とする。
【００３３】
また、請求項２４に記載の発明は、請求項２３に記載のコンテンツの記録制御装置において、前記記録媒体識別子は１６桁の１６進数であることを特徴とする。
【００３４】
また、請求項２５に記載の発明は、請求項２３に記載のコンテンツの記録制御装置において、前記記録媒体識別子は前記記録媒体識別子自体の有効性を検証するための桁を含むことを特徴とする。
【００３５】
また、請求項２６に記載の発明は、請求項１に記載のコンテンツの記録制御装置において、前記コンテンツ管理サーバは前記ライセンス情報に対応する量の範囲内でコンテンツを特定するコンテンツ識別子を記憶しており、前記コンテンツの要求情報は前記コンテンツ識別子を含み、前記コンテンツの記録制御装置は前記コンテンツ管理サーバから前記コンテンツ識別子に対応する種類のコンテンツを受信することを特徴とする。
【００３６】
また、請求項２７に記載の発明は、コンピュータにより実行されるコンテンツの記録制御方法であって、着脱可能な記録媒体から、複数のコンテンツを格納したコンテンツ管理サーバの少なくとも１つおよび前記記録媒体に記録可能なコンテンツの量を特定する情報を含むライセンス情報を読み取るステップと、前記ライセンス情報に対応するコンテンツ管理サーバに、前記ライセンス情報に対応する量の範囲内でコンテンツの要求情報を送信するステップと、前記コンテンツの要求情報を受信したコンテンツ管理サーバから送信されるコンテンツを前記記録媒体に記録するステップとを備えることを特徴とする。
【００３７】
また、請求項２８に記載の発明は、コンピュータプログラムであって、コンピュータを、着脱可能な記録媒体から、複数のコンテンツを格納したコンテンツ管理サーバの少なくとも１つおよび前記記録媒体に記録可能なコンテンツの量を特定する情報を含むライセンス情報を読み取る読取手段、前記ライセンス情報に対応するコンテンツ管理サーバに、前記ライセンス情報に対応する量の範囲内でコンテンツの要求情報を送信するコンテンツ要求情報送信手段、および前記コンテンツの要求情報を受信したコンテンツ管理サーバから送信されるコンテンツを前記記録媒体に記録する記録制御手段として機能させることを特徴とする。
【００３８】
また、請求項２９に記載の発明は、コンテンツの記録制御システムであって、請求項１に記載のコンテンツの記録制御装置と、複数のコンテンツを格納した複数のコンテンツ管理サーバとを備えることを特徴とする。
【００３９】
また、請求項３０に記載の発明は、請求項２９に記載のコンテンツの記録制御システムにおいて、前記コンテンツ管理サーバは、前記ライセンス情報に対応する量の範囲内でコンテンツを特定するコンテンツ識別子を記憶したコンテンツ識別子記憶手段と、前記コンテンツの記録制御装置から前記コンテンツ識別子を含む前記コンテンツの要求情報を受信するコンテンツ要求情報受信手段と、前記コンテンツ要求情報受信手段により受信したコンテンツ識別子に対応するコンテンツを送信するコンテンツ送信手段とを有することを特徴とする。
【００４０】
また、請求項３１に記載の発明は、請求項３０に記載のコンテンツの記録制御システムにおいて、携帯端末を更に備え、前記コンテンツ管理サーバは前記携帯端末から前記コンテンツを特定する情報および前記携帯端末の識別子を受信する識別子受信手段を有し、前記識別子受信手段により受信した識別子をコンテンツ識別子としてコンテンツ識別子記憶手段に記憶することを特徴とする。
【００４１】
このような構成によれば、コンテンツをダウンロードする前に携帯端末を使用してコンテンツを選択し、その選択に関する情報を携帯番号と対応付けてコンテンツの記憶制御装置に記憶させておくことができる。その後、顧客は携帯番号等の識別子を使用して予め選択したコンテンツをダウンロードすることができる。また、携帯番号の口座にコンテンツの購入料金を請求することが可能となる。
【００４２】
また、請求項３２に記載の発明は、請求項３１に記載のコンテンツの記録制御システムにおいて、前記コンテンツの記録制御装置は前記コンテンツのカタログの情報を記憶したカタログ管理サーバと更に接続されており、前記携帯端末は、前記カタログ管理サーバにより送信された情報に基づくカタログを表示する表示制御手段と、前記表示制御手段により表示されたカタログに含まれるコンテンツの選択を受け付ける選択受付手段と、前記選択受付手段により選択を受け付けたコンテンツの種類を特定する情報と前記携帯端末の識別子とを前記コンテンツ管理サーバに送信するコンテンツ選択情報送信手段とを有することを特徴とする。
【００４３】
また、請求項３３に記載の発明は、複数のコンテンツを格納した複数のコンテンツ管理サーバと、前記コンテンツのカタログを記憶したカタログ管理サーバと、コンテンツの記録制御を行うコンピュータと、携帯端末とを備えるコンテンツの記録制御システムにより実行されるコンテンツの記録制御方法であって、前記カタログ管理サーバにおいて、前記携帯端末から送信された前記コンテンツを特定する情報および前記携帯端末の識別子を記憶するステップと、前記コンピュータにおいて、着脱可能な記録媒体から、前記コンテンツ管理サーバの少なくとも１つを特定する情報を含むライセンス情報を読み取るステップと、前記コンピュータにおいて前記識別子の入力を受け、前記カタログ管理サーバに前記識別子を送信するステップと、前記カタログ管理サーバにおいて、前記コンピュータから送信された識別子に対応するコンテンツを特定する情報を前記コンピュータに送信するステップと、前記コンピュータにおいて、前記ライセンス情報に対応するコンテンツ管理サーバに、前記カタログ管理サーバから送信されたコンテンツを特定する情報に対応するコンテンツの要求情報を送信するステップと前記コンピュータにおいて、前記コンテンツ管理サーバから送信されたコンテンツを前記記録媒体に記録するステップとを備えることを特徴とする。
【００４４】
また、請求項３４に記載の発明は、複数のコンテンツ管理サーバと接続されたコンテンツの記録制御装置であって、前記複数のコンテンツ管理サーバの各々は複数のコンテンツを格納しており、前記コンテンツの記録制御装置は、携帯端末から、前記コンテンツ管理サーバの少なくとも１つおよび前記記録媒体に記録可能なコンテンツの量を特定する情報を含むライセンス情報を受信する受信手段と、前記ライセンス情報に対応するコンテンツ管理サーバに、前記ライセンス情報に対応する量の範囲内でコンテンツの要求情報を送信するコンテンツ要求情報送信手段と、前記コンテンツの要求情報を受信したコンテンツ管理サーバから送信されるコンテンツを記録媒体に記録する記録制御手段とを備えることを特徴とする。
【００４５】
このような構成によれば、街頭端末にＵＳＢ等の接続手段を介してライセンス情報を含む携帯端末を接続し、この携帯端末からコンテンツの記録制御装置にライセンス情報を読み込ませることができる。
【００４６】
また、請求項３５に記載の発明は、請求項３４に記載のコンテンツの記録制御装置において、前記記録媒体は前記携帯端末に装着されていることを特徴とする。
【００４７】
このような構成によれば、街頭端末を使用してダウンロードしたコンテンツを携帯端末に記憶させることができる。
【００４８】
また、請求項３６に記載の発明は、請求項３４に記載のコンテンツの記録制御装置において、前記コンテンツの記録制御装置はログを記録するログ管理サーバと更に接続されており、前記ライセンス情報は前記ログ管理サーバを特定する情報を含み、前記記録制御手段による記録に関するログを作成するログ作成手段と、前記ライセンス情報に対応するログ管理サーバに、前記ログ作成手段により作成されたログを送信するログ送信手段を更に備えることを特徴とする。
【００４９】
また、請求項３７に記載の発明は、請求項３６に記載のコンテンツの記録制御装置において、前記コンテンツは、前記コンテンツの著作権者を特定する情報を含み、前記ログ作成手段は、前記記録媒体の種類、前記コンテンツの著作権者、前記コンテンツの量、前記コンテンツ管理サーバを特定する情報を含むログを作成することを特徴とする。
【００５０】
また、請求項３８に記載の発明は、請求項３６に記載のコンテンツの記録制御装置において、前記ログ送信手段は、前記ログをＨＴＴＰ  ＰＯＳＴコマンドを使用して送信することを特徴とする。
【００５１】
また、請求項３９に記載の発明は、請求項３８に記載のコンテンツの記録制御装置において、前記ログ送信手段は、前記ＨＴＴＰ  ＰＯＳＴコマンドの送信元の有効性を検証するためのパスワードを更に送信することを特徴とする。
【００５２】
また、請求項４０に記載の発明は、請求項３８に記載のコンテンツの記録制御装置において、前記ログ送信手段は、機密保護機能を有するインターネットの送信機構を使用して前記ＨＴＴＰ  ＰＯＳＴコマンドを実行することを特徴とする。
【００５３】
また、請求項４１に記載の発明は、請求項３４に記載のコンテンツの記録制御装置において、前記コンテンツ管理サーバから送信されるコンテンツは暗号化されていることを特徴とする。
【００５４】
また、請求項４２に記載の発明は、請求項４１に記載のコンテンツの記録制御装置において、前記ライセンス情報は前記コンテンツを解読するコンテンツ復号キーを含み、前記記録制御手段は前記ライセンス情報に含まれるコンテンツ復号キーを使用して前記コンテンツを復号することを特徴とする。
【００５５】
また、請求項４３に記載の発明は、請求項３４に記載のコンテンツの記録制御装置において、前記ライセンス情報は暗号化されていることを特徴とする。
【００５６】
また、請求項４４に記載の発明は、請求項４３に記載のコンテンツの記録制御装置において、前記ライセンス情報は該ライセンス情報を復号するための少なくとも１つのライセンス情報復号キーを含むことを特徴とする。
【００５７】
また、請求項４５に記載の発明は、請求項４４に記載のコンテンツの記録制御装置において、前記読取手段により読み取られたライセンス情報を一時的に保持する保持手段と、一時的に保持された前記情報から前記ライセンス情報復号キーを探索する探索手段と、前記探索手段により探索されたライセンス情報復号キーを使用して一時的に保持された前記情報を復号する復号手段とを更に備えることを特徴とする。
【００５８】
また、請求項４６に記載の発明は、請求項４５に記載のコンテンツの記録制御装置において、前記復号手段は一時的に保持された前記情報に含まれる前記ライセンス情報復号キーの各々に続くバイトを読み出すことを特徴とする。
【００５９】
また、請求項４７に記載の発明は、請求項３４に記載のコンテンツの記録制御装置において、前記コンテンツ管理サーバは前記ライセンス情報に対応する量の範囲内でコンテンツを特定するコンテンツ識別子を記憶しており、前記コンテンツの要求情報は前記コンテンツ識別子を含み、前記コンテンツの記録制御装置は前記コンテンツ管理サーバから前記コンテンツ識別子に対応するコンテンツを受信することを特徴とする。
【００６０】
また、請求項４８に記載の発明は、コンピュータにより実行されるコンテンツの記録制御方法であって、着脱可能な記録媒体から、複数のコンテンツを格納したコンテンツ管理サーバの少なくとも１つおよび前記記録媒体に記録可能なコンテンツの量を特定する情報を含むライセンス情報を読み取るステップと、前記ライセンス情報に対応するコンテンツ管理サーバに、前記ライセンス情報に対応する量の範囲内でコンテンツの要求情報を送信するステップと、前記コンテンツの要求情報を受信したコンテンツ管理サーバから送信されるコンテンツを記録媒体に記録するステップとを備えることを特徴とする。
【００６１】
また、請求項４９に記載の発明は、コンピュータプログラムであって、コンピュータを、携帯端末から、複数のコンテンツを格納したコンテンツ管理サーバの少なくとも１つおよび着脱可能な記録媒体に記録可能なコンテンツの量を特定する情報を含むライセンス情報を受信する受信手段、前記ライセンス情報に対応するコンテンツ管理サーバに、前記ライセンス情報に対応する量の範囲内でコンテンツの要求情報を送信するコンテンツ要求情報送信手段、および前記コンテンツの要求情報を受信したコンテンツ管理サーバから送信されるコンテンツを記録媒体に記録する記録制御手段として機能させることを特徴とする。
【００６２】
また、請求項５０に記載の発明は、コンテンツの記録制御システムであって、請求項３４に記載のコンテンツの記録制御装置と、複数のコンテンツを格納した複数のコンテンツ管理サーバとを備えることを特徴とする。
【００６３】
また、請求項５１に記載の発明は、請求項５０に記載のコンテンツの記録制御システムにおいて、前記コンテンツ管理サーバは、前記ライセンス情報に対応する量の範囲内でコンテンツを特定するコンテンツ識別子を記憶したコンテンツ識別子記憶手段と、前記携帯端末から前記コンテンツの記録制御装置を介して前記コンテンツ識別子を含む前記コンテンツの要求情報を受信するコンテンツ要求情報受信手段と、前記コンテンツ要求情報受信手段により受信したコンテンツ識別子に対応するコンテンツを送信するコンテンツ送信手段とを有することを特徴とする。
【００６４】
また、請求項５２に記載の発明は、請求項５１に記載のコンテンツの記録制御システムにおいて、前記コンテンツ管理サーバは前記携帯端末から前記コンテンツを特定する情報および前記携帯端末の識別子を受信する識別子受信手段を有し、前記識別子受信手段により受信した識別子をコンテンツ識別子として前記コンテンツ識別子記憶手段に記憶することを特徴とする。
【００６５】
このような構成によれば、コンテンツをダウンロードする前に携帯端末を使用してコンテンツを選択し、その選択に関する情報を携帯番号と対応付けてコンテンツの記憶制御装置に記憶させておくことができる。その後、顧客は携帯番号を使用して予め選択したコンテンツをダウンロードすることができる。また、携帯番号の口座にコンテンツの購入料金を請求することが可能となる。
【００６６】
また、請求項５３に記載の発明は、請求項５２に記載のコンテンツの記録制御システムにおいて、前記コンテンツの記録制御装置は前記コンテンツのカタログの情報を記憶したカタログ管理サーバと更に接続されており、前記携帯端末は、前記カタログ管理サーバにより送信された情報に基づくカタログを表示する表示制御手段と、前記表示制御手段により表示されたカタログに含まれるコンテンツの選択を受け付ける選択受付手段と、前記選択受付手段により選択を受け付けたコンテンツを特定する情報と前記携帯端末の識別子とを前記コンテンツ管理サーバに送信するコンテンツ選択情報送信手段とを有することを特徴とする。
【００６７】
また、請求項５４に記載の発明は、複数のコンテンツを格納した複数のコンテンツ管理サーバと、前記コンテンツのカタログを記憶したカタログ管理サーバと、コンテンツの記録制御を行うコンピュータと、携帯端末とを備えるコンテンツの記録制御システムにより実行されるコンテンツの記録制御方法であって、前記カタログ管理サーバにおいて、前記携帯端末から送信された前記コンテンツを特定する情報および前記携帯端末の識別子を記憶するステップと、前記コンピュータにおいて、前記携帯端末から、前記コンテンツ管理サーバの少なくとも１つを特定する情報を含むライセンス情報を受信するステップと、前記コンピュータにおいて前記識別子の入力を受け、前記カタログ管理サーバに前記識別子を送信するステップと、前記カタログ管理サーバにおいて、前記コンピュータから送信された識別子に対応するコンテンツを特定する情報を前記コンピュータに送信するステップと、前記コンピュータにおいて、前記ライセンス情報に対応するコンテンツ管理サーバに、前記カタログ管理サーバから送信されたコンテンツを特定する情報に対応するコンテンツの要求情報を送信するステップと前記コンピュータにおいて、前記コンテンツ管理サーバから送信されたコンテンツを前記記録媒体に記録するステップとを備えることを特徴とする。
【発明の効果】
【００６８】
本発明は、ディジタルメディアの販売および配信、小売会社、ならびにコンピュータ、携帯情報端末および携帯電話の技術のギャップを埋めるものである。本発明は、メディアの製作会社および小売会社が販売を増加させることを可能にする革新的なビジネスモデルを提供する。
【００６９】
顧客へのディジタルメディア直接の販売に加え、本発明は今まで作成された中で最も進歩したマーケティングモデルの１つを作り出す。このマーケティングモデルにより、例えばメディアの製作会社が購入者に的確な広告を直接提供することを可能にする顧客の購入における嗜好を捕捉することもできる。
【００７０】
本発明によれば、店舗に対し、オンデマンドでのメディアの電子的配信を使用したコンテンツの選択、コンテンツへの支払、コンテンツの受け取りを可能にする。
【発明を実施するための最良の形態】
【００７１】
以下、本発明の実施の形態について説明する。  
（前提となる技術）
本発明は、コンパクトディスクまたはディジタル多用途ディスク（ＤＶＤ）に、オーディオ、ビデオまたは手書きの原稿等のコンテンツをコピーすることを回避したり、権限を与えるシステムおよび方法を提供する。簡単に言えば、本発明は、何も記録されていない記録媒体上にライセンスを記録する機能を提供する一方、この記録媒体がコンテンツの記録を許諾または回避するための情報をプログラムへ提供することができる。本発明はこのような方法で、後に記録用のコンテンツを受け入れる機能を維持することに関するライセンス情報を記録媒体に書き込む。
【００７２】
本発明の前提となる技術を図１〜７を参照して説明する。図示を目的として、本明細書に記載のシステムは、本発明を使用してコンテンツ（例えばオーディオ、ビデオおよび手書きの原稿）を配信または制御する機構によりコンテンツを提供するために使用されるシステムのコンテキスト内にある。説明を通して、本発明を使用する会社による実施例の具体的な説明に対する参照がなされる。これらの詳細な説明は本発明の好ましい実施形態を十分に説明するために提供されるのであって、本発明の範囲を限定するものではない。本発明の範囲は特許請求の範囲で明らかにされる。
【００７３】
図１は、ディスクに記録されたライセンスを含む記録可能コンパクトディスクの記録可能な面を示す。以下、この記録可能コンパクトディスクを認可（ライセンスト）ＣＤという。認可ＣＤは、記録可能コンテンツを書き込むことができるブランクエリア１２０を含む。ディスクに更に書込みができるようにするため、ライセンスエリア１１０は、ディスクに書き込む第１のエリア群の１つに含まれる。他の実施形態では、書き込まれていない（ブランク）メディア内の他のエリアにライセンスデータを含めることができる。オーディオトラック内に含めることができるライセンスエリア１１０は、オーディオ記録のＲｅｄ  Ｂｏｏｋ標準仕様に適合するオーディオトラック内に、あるいはライセンスの記録がコンピュータによる媒体を承認する機能に影響を及ぼさない限り、ディスクに書き込まれた生データとして保存することができる。好ましい実施形態では、ライセンスエリアはトラックアットワンス（Track-At-Once）方式を使用してオープンオーディオセッションに書き込まれるオーディオトラックとしてディスクに書き込まれる。トラックを含むオーディオセッションは、オープンされたままになり、記録可能メディアは、本発明の標準に準拠したシステムにより使用可能な状態になるが、他の記録システムにとってアクセス可能なものではない。同じ好ましい実施形態において、オーディオトラックは無音でもよく、または可聴データを含んでもよい。
【００７４】
図２は、オーディオトラックにライセンスデータを埋め込む一方、オーディオには著しい影響を与えずに、トラック内にライセンス情報を提供する工程を図示する。オーディオトラックに影響を与えないこと、あるいはディスクからオーディオトラックを抽出するユーザによりアクセス可能であることに関し、オーディオトラック１４０の至るところに分散するライセンス情報１３０が図示されている。  
なお、記録媒体に応じてライセンス情報はビデオトラックに記録することとしても良い。
【００７５】
図３は、ライセンス内に格納された情報の種類の好ましい実施形態を図示する。サーチＵＲＬ（Ｓｅａｒｃｈ＿ＵＲＬ）は、コンテンツを検索し、または許可情報がアクセスされるインターネット上のロケーション（場所）を提供する。ＣＤＩＤ１６０は、好ましい実施形態では固有の番号であるが、別の実施形態では固有でなくても良い。メティアタイプ（Ｍｅｄｉａ＿Ｔｙｐｅ）１７０はメディアへ記録することができるコンテンツの種類を識別する。量（Ｑｕａｎｔｉｔｙ）１８０はメディアに記録することができるコンテンツの量を識別する。この量は表現されるメディアの種類に応じたトラック、チャプタ、バイトまたはレコード長で計測することができる。ログ管理サーバＵＲＬ（Ｌｏｇ＿ＵＲＬ）１９０はメディアへ記録されるコンテンツについての情報のログが記録されるインターネット上の場所である。
【００７６】
図４は、本発明を使用するサーチ、ダウンロードおよび情報の記録に使用される方法およびシステムの好ましい実施形態を示す。記録媒体２００は本工程の間ユーザコンピュータシステム２１０内に挿入されている。ユーザコンピュータシステム２１０上で実行するデスクトップアプリケーション２２０は記録媒体２００からライセンス情報を抽出し、ＣＤの有効性を確認する。ＣＤの有効性が確認されると、デスクトップアプリケーション２２０はＵＲＬを探索して、コンテンツが格納されたインターネット上のロケーションにアプリケーションを導く。ライセンス内の容量とメディアタイプを使用してコンテンツを特定し、コンテンツ管理サーバ２３０にコンテンツのダウンロードを要求する。コンテンツがユーザコンピュータシステム２１０にダウンロードされ、使用不能なフォーマットから復号され、記録媒体２００に記録される。ログ管理サーバＵＲＬにより特定されるログ管理サーバ２６０はデスクトップアプリケーション２００から連絡を受けると、ダウンロードに関する情報のログ（図６を参照）を記録する。
【００７７】
図５は、インターネットを通じてコンテンツをダウンロードせずに記録媒体２５０に対して複写元媒体（ソースメディア）２４０からのコンテンツを記録するために使用される方法およびシステムの好ましい実施形態を示す。記録媒体２５０は本工程の始めと終わりにユーザコンピュータシステム２７０内での使用が要求される。本工程の他のステップの間、複写元媒体は記録可能メディアの代わりにコンピュータ内で使用される。ユーザコンピュータ上で実行されるデスクトップアプリケーション２２０は記録工程を制御する。デスクトップアプリケーションは記録媒体２５０からライセンス情報を抽出し本工程の間このライセンス情報を使用する。好ましい実施形態において、複写元媒体２４０はデスクトップアプリケーションにより当該媒体から抽出され、コンテンツを記録する権限が与えられていることをアプリケーションに知らせる許可情報を含む。代替の実施形態において、デスクトップアプリケーションは複写元媒体２４０からコンテンツ情報を読み出し、サーチＵＲＬにより識別されるインターネットロケーション上に配置されたカタログをアクセスすることによりコンテンツを記録する許可を決定する。デスクトップアプリケーションにより全ての記録が完了すると、ログ管理サーバＵＲＬにより特定されるログ管理サーバ２６０はデスクトップアプリケーションによりその連絡を受け、複写元媒体２４０に記録されたコンテンツについての情報（図６を参照）を記録する。
【００７８】
図６は本発明を使用してコンテンツが記録される場合に行われるログエントリの好ましい実施形態を図示する。ＣＤＩＤ２８０は記録を行う記録媒体の識別番号を含んでいる。記録タイプ２９０はコンテンツがインターネットからダウンロードしたコンテンツを使用して記録されるか、またはオリジナルの記録からコピーされるかを特定する。ＣＤＤＢディスク番号３００はオーディオディスクを識別する番号である。アーティスト名３１０はコンテンツの演奏またはレコーディングを行ったアーティストの名前を表現する。トラック名３２０は記録媒体に記録されたトラックの名前を表現する。
【００７９】
図７は、記録媒体を製造し、ディスク上にライセンスデータを配置するために使用される工程の好ましい実施形態を図示する。この工程の始めにおいて標準のブランクメディアが用意される（ステップＳ３３０）。オープンオーディオセッションがディスク上で作成される（ステップＳ３４０）。本発明において指定される基準に従いライセンスファイルが生成される（ステップＳ３５０）。ライセンスファイルは、可聴または無音の埋め込まれたオーディオファイルである（ステップＳ３６０）。ライセンスを含むオーディオファイルは、トラックアットワンス方式の記録を使用して記録される（ステップＳ３７０）。記録が完了すると、製造工程は記録媒体のセッションをクローズせずに完了する。
【００８０】
（ネットワークシステムの概要）
本発明は各サーバコンピュータに構築されたリレーショナルデータベースに基づいており、これはシステムを管理し動作させるのに必要な全てのデータを含んでいる。
【００８１】
多くの装置およびコンピュータプログラムはこのデータベースを管理するコンピュータシステム（データベースシステム）と通信し、全てのトランザクションを可能にする。
【００８２】
データベースシステムは自身と通信する各装置を個別に管理する。この構造はネットワークシステム全体を非常に柔軟にし、新しい通信機器が利用可能になればこれを追加することを可能にする。
【００８３】
ネットワークシステムを使用して行われるコンテンツの選択は、広範なユーザにより利用可能ないくつかの機器を使用して実行することができる。ユーザが購入を希望するコンテンツを選択するのに最も容易で最も効率的な方法を提供することにより、本発明はコンテンツの所有者がコンテンツを販売することを可能にする。
【００８４】
図８は、本実施形態に係るネットワークシステムを概略的に示すシステム構成図である。ネットワークシステムは、携帯電話８０２、携帯情報端末（ＰＤＡ）８０４、パーソナルコンピュータ（ＰＣ）８０６、キオスク端末としても知られる街頭端末８０８、ログ管理サーバ８１４、複数のコンテンツ管理サーバ８１０、記録媒体管理サーバ８１２、メインベンダサーバ８１６がインターネット８００に接続されて構成されている。
【００８５】
ＰＤＡ８０４、携帯電話８０２、ＰＣ８０６および街頭端末８０８は、コンテンツ選択用の機器として機能する。
【００８６】
コンテンツ選択用の機器にかかわらず、取引のうち本明細書で説明する以外の部分は従来と同じ状態のままである。コンテンツが選択されると、それに対して支払が行われ、物理的な記録媒体に配信される。
【００８７】
携帯電話８０２およびＰＤＡ８０４は、本発明を適用したサービスのユーザが使用する携帯端末であり、インターネット８００を通じたデータの送受を行うための無線通信機能を有する。
【００８８】
携帯電話８０２は購入するコンテンツを選択する技術の一部として使用される。携帯電話８０２の携帯サービスプロバイダはユーザがその携帯電話を使用してインターネット８００のウェブサイトへアクセスするための機構を提供する。携帯サービスプロバイダにより好ましいサービスとして本技術が統合された場合、携帯電話８０２を使用してコンテンツの支払を行うために本技術を使用することができる。
【００８９】
携帯情報端末（ＰＤＡ）８０４は、本ネットワークシステムを使用して購入するメディアの選択を含む様々な情報処理に使用されるハンドヘルドデバイスである。インターネットアクセス機能を有するどのようなＰＤＡも購入のためにコンテンツを選択する機能を有する。
【００９０】
ＰＣ８０６および街頭端末８０８は上記ユーザにより操作され、ウェブクライアントおよびコンテンツの記録制御装置として機能する。
【００９１】
街頭端末８０８はユーザが購入するコンテンツを選択し、記録することを許可する。街頭端末８０８はコンビニエンスストア、駅、食料品店等の様々な場所に設置される。
【００９２】
インターネット接続機能を有するＰＣ８０６は本ネットワークシステムにアクセスし、購入するコンテンツを選択するために使用される。ＰＣ８０６を使用した購入のためのコンテンツの選択は、ユーザがクレジットカードを使用してコンテンツを購入することも可能にする。
【００９３】
コンテンツ管理サーバ８１０は、それぞれ異なるコンテンツ提供者により管理されるウェブサーバである。
【００９４】
記録媒体管理サーバ８１２は記録媒体の有効性を確認するサーバコンピュータで、記録媒体に付与されたディスク識別子を予め記憶しており、この情報と外部から受信したディスク識別子の照合を行う。
【００９５】
ログ管理サーバ８１４はウェブクライアントとコンテンツ管理サーバとを利用した電子商取引に関するログを記録するサーバコンピュータである。
【００９６】
メインベンダサーバ８１６はコンテンツのカタログを記憶しており、インターネット８００を通じてクライアントにこのカタログを提供する。
【００９７】
図９は、図８のネットワークシステムに含まれるログ管理サーバ８１４、コンテンツ管理サーバ８１０、記録媒体管理サーバ８１２、メインベンダサーバ８１６として機能するコンピュータシステムのハードウェア構成を示すブロック図である。
【００９８】
同図において、コンピュータシステム９００は、ＣＰＵ９０２などにより構成される中央処理装置、ＲＯＭ９０４やＲＡＭ９０６などにより構成される主記憶装置、ＨＤドライブ９０８により構成される外部記憶装置、キーボード９１５やマウス９１６などにより構成される入力装置、ディスプレイ９１４などにより構成される表示装置、ネットワークに接続するための通信インタフェース９１８、およびこれら各要素を通信可能に接続するシステムバス９１２を含んでいる。
【００９９】
ＨＤドライブ９０８中のＨＤ９２０およびＲＯＭ９０４には、ＯＳや種々のコンピュータプログラムが書き込まれている。このコンピュータプログラムには、インターネット上のクライアントにグラフィカルユーザインタフェース（ＧＵＩ）を提供するためのＨＴＭＬファイルやウェブサーバアプリケーションの他、ディスプレイ等の周辺機器を制御するためのデバイスドライバなどが記憶されている。コンピュータシステム９００の電源が投入されると、ＨＤドライブ９０８に含まれるＨＤ９２０やＲＯＭ９０４からＯＳやアプリケーションプログラムがＲＡＭ９０６に読み出される。
【０１００】
コンピュータシステム９００は、上記プログラムの制御の下に動作する。後述する本実施形態に関わる各コンピュータシステムの諸機能は、これらのコンピュータプログラムのプログラム命令を実行することにより達成される。
【０１０１】
図１０は、図８のネットワークシステムに含まれる街頭端末８０８およびＰＣ８０６として機能するコンピュータシステムのハードウェア構成を示すブロック図である。
【０１０２】
コンピュータシステム１０００は、ＣＤ−Ｒ／Ｗドライブ９１０がシステムバス９１２に接続されている点、および入力デバイスとしてマウスに代えてタッチパネル９２２を備えている点を除き図９に示すハードウェア構成と同様である。
【０１０３】
ＨＤドライブ９０８中のＨＤ９２０およびＲＯＭ９０４には、ＯＳやインターネット上の情報を閲覧するためのブラウザの他、ＨＤドライブ９０６、ＣＤ−Ｒ／Ｗドライブ９１０等の周辺機器を制御するためのデバイスドライバなどの種々のプログラムが記憶されている。
【０１０４】
コンピュータシステム１０００は、上記プログラムの制御の下に動作する。後述する本実施形態に関わる各コンピュータシステムの諸機能は、これらのコンピュータプログラムのプログラム命令を実行することにより達成される。
【０１０５】
また、本実施形態を実現するアプリケーションログラムの実行に関連するライセンス情報が認可ＣＤ９２４に記録されている。そして、認可ＣＤ９２４がＣＤ−Ｒ／Ｗドライブ９１０にセットされると、予め記録されたライセンス情報がコンピュータシステム１０００に読み取られる。
【０１０６】
携帯電話８０２、ＰＤＡ８０４は、ＣＰＵ、ＲＯＭやＲＡＭ、ＨＤドライブ、キーボード、ディスプレイ、通信インタフェースを含み、インターネット接続機能を有する周知のものが使用される。
【０１０７】
次に、上記のように構成されるネットワークシステムにおける各構成要素の動作の概要について説明する。
【０１０８】
コンテンツ選択用の機器はカタログを提示するために本ネットワークシステムと通信を行う。購入されるコンテンツはカタログから選択される。本発明により販売され配信されるコンテンツまたはタイトルは、カタログにおいて表現される。カタログは、コンテンツの探索および選択、ならびにコンテンツの実際の場所へのリンクを提供するためのＧＵＩであり、例えばコンテンツのリストを含むＨＴＭＬページの形態で提供される。コンテンツ選択用の機器はディスプレイ上にこのＨＴＭＬページを表示して、キーボードやタッチパネル等の入力デバイスからコンテンツの選択を受け付ける。
【０１０９】
ユーザがカタログからコンテンツを選択して購入すると、１または複数の記録媒体にコンテンツを記録するディジタル権利を取得することになる。ディジタル権利はコンテンツを１度、数回、または制限なく記録することを許可する。
【０１１０】
購入するコンテンツの選択には、コンテンツを容易に見つけ出し選択することを可能にするユーザインタフェースを使用する。
【０１１１】
ユーザがコンテンツを選択すると、その選択内容がメインベンダサーバ８１６のカスタマライブラリに追加される。カスタマライブラリへのコンテンツの追加により、コンテンツがコンピレーション（編纂物）に追加されることが可能となる。ユーザは、カスタマライブラリに記録されたコンピレーションを記録媒体（ＣＤ、ＤＶＤ等）に記録することができる。
【０１１２】
実際の販売取引は現金またはクレジットを使用して行われる。クレジット取引はクレジットカードにより、または携帯電話の口座に直接請求することで行われる。現金取引はプリペイドカード、または上述した認可ＣＤなどのメディアを通じて行われる。
【０１１３】
（携帯電話における課金）
携帯サービスプロバイダは携帯電話８０２を通じて直接にコンテンツを販売する携帯購入用プログラムを提供する。
【０１１４】
携帯電話を通じた請求は２つの部分からなる。携帯サービスプロバイダは、プログラムに登録された各加入者にサービス料（例えば毎月３００円のように）の課金を行う。コンテンツが購入される度に、コンテンツの追加のコストが携帯電話の料金に追加される。
【０１１５】
（現金−プリペイドカード）
プリペイドカードは、ユーザが会員ではない携帯ベースのサービスを通じてコンテンツを購入することを可能にする。ユーザは、コンテンツを使用するためにＰＣまたはＰＤＡベースのシステムを使用することを可能にするプリペイドカードを購入することができる。プリペイドカードには固有のプリペイド番号が付与されており、電子商取引ではこのプリペイド番号を使用して決済が行われる。
【０１１６】
インターネットを介してコンテンツの選択が行われると、トランザクションに対する課金が行われる。この料金はプリペイドカードの残高から差し引かれる。各プリペイドカードは１または複数のコンテンツを購入するために使用することができる。プリペイドカードは使用された後に破棄される。
【０１１７】
（現金−プリペイド認可ＣＤ）
プリペイド認可ＣＤは、ユーザがコンテンツを購入しプリペイドメディアに直接記録する街頭端末ベースの選択および配信システムを使用することを可能にする。プリペイドメディアはユーザが街頭端末を有する小売店に直接出向き、プリペイドメディアを購入し、コンテンツを選択し、コンテンツを記録するという行為の全てを同時に行うことを可能にする。  
認可ＣＤは街頭端末を設置した店舗等で現金で購入され、街頭端末で使用することができる。
【０１１８】
（クレジットカード）
クレジットカードは、ＰＣベースの選択システムを通じてコンテンツを選択するために使用することができる。
【０１１９】
（コンテンツの配信）
コンテンツは、予め定義されたコンテンツまたはその編纂物として配信することができる。本、ゲーム、または映画は全体商品として配信される。音楽は、アルバム全部または編纂物として配信され、ユーザはディスクに記録される音楽を選択する。
【０１２０】
（記録媒体）
購入の結果、ユーザにＣＤ、ＤＶＤ等の再生可能な物理メディアが記録媒体として提供される。本発明はコンテンツが街頭端末またはＰＣを使用して記録媒体に記録されることを可能にする。
【０１２１】
（認可ＣＤ）
認可ＣＤは、オーディオメディアが街頭端末または家庭のコンピュータを使用して作成されることを可能にする保護された記録媒体である。各認可ＣＤは、購入されたメディアのみがディスクに記録されることを可能にする。
【０１２２】
（認可ＤＶＤ）
認可ＤＶＤは、オーディオメディアが街頭端末または家庭のコンピュータを通じて作成されることを可能にする保護された記録媒体である。各認可ＤＶＤは、購入されたコンテンツのみがディスクに記録されることを可能にする。
【０１２３】
（配信場所）
本発明は、認可ＣＤベースの記録用プログラムを通じて、店舗で街頭端末にメディアが配信されること、または家庭でメディアが配信されることを可能にする。街頭端末８０８を通じてメディアの配信を可能にすることは、多数の場所においてコンテンツが配信されることを可能にする。家庭への配信は、ユーザが自身の家庭でコンテンツを記録することを可能にする。
【０１２４】
（店舗への配信）
店舗への配信は、小売店舗が本発明の作成により利益を得ることを可能にする。
【０１２５】
（家庭への配信）
認可ＣＤおよびＤＶＤ−ＲＬ記録システムは、ユーザがパーソナルコンピュータ上にオーディオまたはビデオメディアを記録することを可能にする。
【０１２６】
（トラッキング販売およびディジタル権利）
本ネットワークシステムにより配信される電子的メディアが適切に記録され、コンテンツの所有者に支払が行われたことを確実にするために、例えばマイクロソフト社の「Windows（登録商標） Rights Management Services (RMS)」等のディジタル権利管理システムが使用される。
【０１２７】
本発明は物理的な記録媒体に記録される全てのコンテンツの所有者のコンピュータと通信する。これは、コンテンツの所有者が本ネットワークシステムを通じて行われる各取引に対して支払が行われることを確実にする。多数のコンテンツプロバイダからの物理的記録が行われる場合、多数のコンテンツの配信元（ソース）により取引が発生する。
【０１２８】
（本発明が提供する機構）
本発明は、ディジタルオーディオ、ビデオおよび手書きの原稿の販売および配信に関する。ディジタルコンテンツは、音楽、オーディオブック、印刷されたメディア、定期刊行物、映画またはテレビのショーの形態でのビデオ、および生演奏の記録を含む。
【０１２９】
この配信技術は、以下のものを提供する。
（１）ユーザが購入するメディアを選択するためのいくつかの機構
（２）ユーザから支払を受け取るためのいくつかの機構
（３）コンテンツ所有者にコンテンツの支払を行うためのいくつかの機構
（４）ユーザにコンテンツの安全な配信を行うためのいくつかの機構
（５）ディジタル権利管理者が著作権者を保護するためのいくつかの機構
（６）トランザクションに関連するデータの格納のためのデータ構造
（７）マーケティング情報を生成する特有の方法
【０１３０】
（第１実施形態）
次に、街頭端末８０８を使用して音楽、ビデオ、およびオーディオを販売する機構である第１実施形態について説明する。なお、以下の処理はＰＣ８０６を使用して行うこととしてもよい。
【０１３１】
本実施形態では、ライセンス情報を含む記録媒体（ライセンストメディア）として、認可ＣＤが使用される。ライセンス情報は、街頭端末８０８が多数のコンテンツ管理サーバ８１０と通信することを可能にする。認可ＣＤが販売され、その後でユーザは配信のためのコンテンツを選択する。認可ＣＤは、インターネット８００に接続された街頭端末８０８に挿入される。街頭端末８０８にインストールされたコンピュータプログラムは認可ＣＤに含まれるライセンス情報を読む機能を有する。
【０１３２】
各ライセンス情報は、配信すべきコンテンツを選択し、および取り出すために要求される以下の情報を含む。
（１）固有のディスク識別子
（２）ディスクを製造し、ディスクへのコンテンツの配信および記録を管理する企業または売主の情報。
（３）ディスクに転送することができるコンテンツを管理するためにディスクによりアクセスされるメインベンダサーバのＵＲＬ。
（４）ディスクを通じて販売するコンテンツ（音楽、ビデオ、オーディオブック）、およびそれを取得する場所をメインベンダサーバに知らせる製品キー。この製品キーは配信されたコンテンツを復号する際に使用するキーにも関連する。
（５）コンテンツの配信に使用される単位。単位はコンテンツの販売単位を示し、アルバム、トラック、映画、章等が使用される。
（６）ディスクにより販売されるコンテンツの上記単位における量。
（７）ディスクが有効かどうかを検証するために使用されるインターネット上の記録媒体管理サーバ８１２のＵＲＬ（有効性確認ＵＲＬ）。
（８）ディスクに記録されたコンテンツについてのログを記録する最大３つのログ管理サーバ８１４のＵＲＬ（ロギングＵＲＬ）。
（９）露骨な歌詞を有するコンテンツをディスク上に記録することができるかを識別するフラグ。
（１０）コンテンツを記録するために使用することができる街頭端末またはコンピュータの種類を特定する街頭端末キー。
（１１）ディスクの小売価格。
【０１３３】
なお、ライセンス情報に含まれるＵＲＬは、街頭端末８０８がアプリケーションプログラムインタフェース（ＡＰＩ）を使用してプログラムおよびインターネットの様々なサイト間で通信する際に使用される。例えば、データの通信には標準のインターネットプロトコルを使用することができる。
【０１３４】
次に、図１１を参照し、街頭端末８０８のプログラムにより実行されるコンテンツの記録制御方法のフローについて説明する。  
本方法の前提として、標準記録媒体を使用して記録が開始される。
【０１３５】
製造者／売主はオープンセッションを作成して、ディスクにライセンス情報を記録する。ライセンス情報は可聴または無音とすることができるＷＡＶファイル内に暗号化され埋め込まれる。ライセンス情報を含むＷＡＶファイルはトラックアットワンス方式の記録を使用して記録される。セッションはオープン状態のままとなる。
【０１３６】
本工程のフローは、ユーザが認可ＣＤを購入するところから始まる。  
次に、ユーザが店舗で街頭端末８０８のＣＤ−Ｒ／Ｗドライブ９１０に認可ＣＤを挿入する。
【０１３７】
プログラムは認可ＣＤを検出すると（ステップＳ１１０２）、ディスクのセッションがオープン状態であっても低レベル入出力呼び出しを使用して、ディスクから直接セクタを読み出す（ステップＳ１１０４）。
【０１３８】
暗号化されたライセンス情報を含むＷＡＶファイルの一部はディスクから抽出される。ライセンス情報はＷＡＶファイルから抽出され復号される。
【０１３９】
ここで、ライセンス情報に該ライセンス情報を復号するための少なくとも１つのライセンス情報復号キーを含めることとしても良い。この場合、読み取られたライセンス情報を一時的に保持し、一時的に保持された情報からライセンス情報復号キーを探索し、探索されたライセンス情報復号キーを使用して一時的に保持された情報を復号する。
【０１４０】
また、復号の際に、一時的に保持された情報に含まれるライセンス情報復号キーの各々に続くバイトを読み出すこととしても良い。
【０１４１】
プログラムはライセンス情報から有効性確認ＵＲＬを抽出する。そして、このＵＲＬにより特定される記録媒体管理サーバ８１２へ接続し、読み取られたライセンス情報中のディスク識別子が有効であることを確認する。好ましい実施形態において、ディスク識別子は１６桁の１６進数とし、またディスク識別子自体の有効性を検証するための桁を含むものとすることができる。記録媒体管理サーバ８１２は予め記憶したディスク識別子と受信した情報を照合して有効性を検証し、検証結果を街頭端末８０８へ返送する（ステップＳ１１０５）。ディスク識別子が有効であれば、以下の工程へ続く。
【０１４２】
次に、プログラムは、街頭端末８０８上にユーザインタフェースを表示するために、メインベンダサーバ８１６に接続する（ステップＳ１１０６）。この接続処理はライセンス情報に含まれるメインベンダサーバ８１６のＵＲＬを使用して行っても良く、あるいは街頭端末８０８にメインベンダサーバ８１６のＵＲＬを記憶させておき、これを使用して行うこととしても良い。次いで、メインベンダサーバ８１６から街頭端末８０８へ、カタログのＨＴＭＬファイルがＨＴＴＰを使用して送信される。ＨＴＭＬファイルは特別なフォーマットで街頭端末８０８に送信される。プログラムはＨＴＭＬ内のテキストを街頭端末８０８により使用することができる記録フォーマットに翻訳する。
【０１４３】
カタログのフォーマットの一例について説明する。各フィールドはパイプ記号「｜」により分離される。各レコードは「＾」記号により分離される。第１のフィールドは、街頭端末８０８に送信されるレコードの種類を含んでいる。
Ａ０１｜Ｅｍｉｎｅｍ｜Ｒａｐ｜Ｉｎｔｅｒｓｃｏｐｅ  Ｒｅｃｏｒｄｓ＾
Ａ０１｜５０  Ｃｅｎｔ｜Ｒａｐ｜Ｉｎｔｅｒｓｃｏｐｅ  Ｒｅｃｏｒｄｓ＾
【０１４４】
この例では、２つのレコードが街頭端末８０８に送信される。これらのコンテンツのタイプはＡ０１である。第１レコードの第１フィールドは「Ｅｍｉｎｅｍ」、第２フィールドは「ラップ」および第３フィールドは「Ｉｎｔｅｒｓｃｏｐｅ  Ｒｅｃｏｒｄｓ」である。
【０１４５】
応じて購入可能なコンテンツの種類を製品キーに基づいて特定することとしても良い。例えばコンテンツにより再生される音楽のジャンル（ジャズ、ラップ等）毎に異なる製品キーを用意し、これを認可ＣＤのライセンス情報に含めておく。街頭端末８０８はメインベンダサーバ８１６に製品キーを送信する。メインベンダサーバ８１６は製品キーに対応するジャンルのコンテンツについてのカタログを編集し、街頭端末８０８に送信する。
【０１４６】
プログラムおよびメインベンダサーバ８１６は認可ＣＤ上の残りの情報を使用して販売工程を管理する。街頭端末８０８は、カタログ情報を受信し（ステップＳ１１０８）、受信した情報を内部に記憶し、この情報に基づきディスプレイ上にカタログを表示して、コンテンツの選択を受け付ける（ステップＳ１１１０）。
【０１４７】
このようにして、読み取られた情報に対応するコンテンツ管理サーバに、コンテンツのカタログの要求情報を送信し、メインベンダサーバから送信されるカタログの情報を受信し、受信された情報を記憶する処理が実現される。
【０１４８】
なお、コンテンツのカタログの情報は予め街頭端末８０８に記憶しておいてもよい。この場合、ステップＳ１１０６、ステップＳ１１０８の処理が省略され、予め記憶された情報に基づくカタログを表示して、コンテンツの選択を受け付ける。
【０１４９】
また、街頭端末８０８の表示制御において、カタログに含まれるコンテンツのうち記録媒体に記録できないコンテンツの情報を表示しないこととしても良い。例えば、メインベンダサーバ８１６において、各コンテンツが露骨な歌詞を有するかどうかを示す情報を記憶しておく。そして、ステップＳ１１０６においては、街頭端末８０８からメインベンダサーバ８１６へ、読み取ったライセンス情報に含まれる「露骨な歌詞を有するコンテンツをディスク上に記録することができるかを識別するフラグ」を送信する。メインベンダサーバ８１６では、受信したフラグを解析し、露骨な歌詞を有するコンテンツの記録が制限されている認可ＣＤの場合、そのようなコンテンツを除いたカタログを編集し、そのカタログ情報を街頭端末８０８に送信する。
【０１５０】
また、このような編集処理は街頭端末８０８において「露骨な歌詞を有するコンテンツをディスク上に記録することができるかを識別するフラグ」の値に応じて実行することとしても良い。
【０１５１】
また、カタログは多数の言語により記述されるカタログを含むものとしても良い。例えば、ライセンス情報に言語を特定する情報を含めることとし、街頭端末８０８は表示制御においてライセンス情報に対応する言語のカタログを表示する。ここで、言語を特定する情報としてディスク識別子を使用することができる。
【０１５２】
このような多言語に対応したカタログもまた、メインベンダサーバ８１６に用意していても良く、あるいは街頭端末８０６に用意していても良い。前者の場合、ステップＳ１１０６で街頭端末８０８からメインベンダサーバ８１６へ言語を特定するための情報を送信し、メインベンダサーバ８１６は受信した情報に対応するカタログを街頭端末８０８へ返信しても良い。
【０１５３】
また、各種の認可ＣＤにおいてそれぞれ異なるユーザインタフェースを表示するものとしてもよい。
【０１５４】
また、記録されるコンテンツを選択するための様々な方法をユーザに提示することができる。
【０１５５】
ステップＳ１１１０では、選択するコンテンツの数を、ライセンス情報中の「コンテンツの配信に使用される単位」および「ディスクにより販売されるコンテンツの上記単位における量」に基づいて制限する。
【０１５６】
ユーザにより街頭端末８０８が操作され、コンテンツの選択が完了すると（ステップＳ１１１２）、街頭端末８０８からコンテンツ管理サーバ８１０へ、選択されたコンテンツのダウンロード要求が送信される（ステップＳ１１１４）。ここで、コンテンツの選択は、ユーザにより選択されるコンテンツの数をカウントし、選択されたコンテンツの数が「コンテンツの配信に使用される単位」における「ディスクにより販売されるコンテンツの量」の値になったときに街頭端末８０８において自動的に完了することとしても良く、またユーザからの指示に応じて選択処理を完了することとしても良い。後者の場合、街頭端末８０８は選択するコンテンツの量を記録媒体に記録可能な最大量よりも少なくすることができる。また、選択されたコンテンツの数が「コンテンツの配信に使用される単位」における「ディスクにより販売されるコンテンツの量」の値を超える場合はエラーダイアログをディスプレイに表示することとしても良い。
【０１５７】
また、ダウンロード要求には、選択されたコンテンツのレコードが含まれる。レコードはプログラム内のＨＴＴＰ  ＰＯＳＴコマンドをシミュレートすることによりインターネットＵＲＬへ送信される。ＨＴＴＰ  ＰＯＳＴは、ＰＯＳＴメソッドを使用したインターネットサーバへのデータの転送である。ＰＯＳＴメソッドは、例えばウェブページ上でフォームに情報が入力され、サーバに送信されるときに使用される。街頭端末８０８上のプログラムからデータを受け取るために使用するコンテンツ管理サーバ８１０上のプログラムは、送信されるレコードのフォーマットを受け取るために設計される。ＰＯＳＴメソッドをシミュレートするために、街頭端末８０８はウェブフォームからデータを提出するように動作する。これにより、コンテンツ管理サーバ８１０はフォームの中のフィールド内にあるかのようにデータを受け取る。
【０１５８】
ここで、街頭端末８０８は選択されたコンテンツに応じて異なるコンテンツ管理サーバにダウンロード要求を送信することができる。
【０１５９】
コンテンツ管理サーバ８１０は、受信したダウンロード要求に応答してコンテンツを選択し、暗号化して街頭端末８０８に送信する。
【０１６０】
街頭端末８０８は、コンテンツ管理サーバからのコンテンツを受信し（ステップＳ１１１６）、復号して認可ＣＤに記録する（ステップＳ１１１８）。
【０１６１】
ここで、ライセンス情報にコンテンツを解読するコンテンツ復号キーを含めておき、ステップＳ１１１８においてライセンス情報に含まれるコンテンツ復号キーを使用してコンテンツを復号しても良い。
【０１６２】
次いで、ディスクへのコンテンツの記録が行われると、ディスク上に記録されたコンテンツについてのログを作成し、ロギングＵＲＬにより指定されるログ管理サーバ８１４に送信する（ステップＳ１１２０）。
【０１６３】
このようにして、コンテンツの記録に関するログを作成し、ライセンス情報に対応するログ管理サーバに、作成されたログを送信する処理が実現される。
【０１６４】
ここで、コンテンツについてのログは、記録媒体の種類、コンテンツの著作権者、コンテンツの量、コンテンツ管理サーバを特定する情報を含むものとすることができる。この場合、コンテンツの著作権者の情報は、コンテンツに含めるものとすることができる。これにより、街頭端末８０８はコンテンツ管理サーバからダウンロードされるコンテンツからコンテンツの著作権者を特定する情報を抽出し、ログに書き込むことができる。
【０１６５】
また、街頭端末８０８は、ログをＨＴＴＰ  ＰＯＳＴコマンドを使用して送信することとしても良い。
【０１６６】
この場合、ＨＴＴＰ  ＰＯＳＴコマンドの送信元の有効性を検証するためのパスワードを更に送信し、ログ管理サーバ８１４は受信したパスワードに基づいて検証処理を実行することとしても良い。
【０１６７】
また、機密保護機能を有するインターネットの送信機構を使用してＨＴＴＰ  ＰＯＳＴコマンドを実行することとしても良い。
【０１６８】
以上説明したように、本実施形態では従来のようにブランクメディアが用意された記録媒体の販売機器を使用せず、街頭端末８０８を制御するためのプリペイドメディアを使用する。即ち、コンテンツは販売機器において購入されず、プリペイドの認可ＣＤを買うことによりコンテンツの購入が行われる。
【０１６９】
また、街頭端末８０８は自動的にコンテンツを取得する場所に接続せず、認可ＣＤが街頭端末８０８にコンテンツを取得する場所を知らせるので、接続場所を柔軟に変更することができる。
【０１７０】
以上のようにして、記録媒体から、コンテンツ管理サーバの少なくとも１つおよび記録媒体に記録可能なコンテンツの数を特定する情報を含むライセンス情報を読み取り、ライセンス情報に対応するコンテンツ管理サーバに、ライセンス情報に対応する量の範囲内でコンテンツの要求情報を送信し、コンテンツ管理サーバから送信されるコンテンツを記録媒体に記録する処理が実現される。
【０１７１】
（第２実施形態）
次に、携帯電話を使用して音楽、ビデオおよびオーディオブックを販売し、街頭端末またはコンピュータを通じで配信を行う機構である第２実施形態について説明する。
【０１７２】
あつらえで作成される音楽ＣＤや映画の販売および配信の機構は非常に時間のかかるものである場合がある。通常販売を行わない場所におけるこのようなコンテンツの販売は、ユーザがコンピュータシステムまたは街頭端末から購入を希望する音楽、映画またはオーディオブックを選択することを要求する。店舗での記録または家庭での記録を通じて販売することができる何万もの音楽ＣＤ、映画、オーディオブックが存在する。本発明は、ユーザが携帯電話を通じて購入を希望するメディアを選択する機構を提供する。購入は、店舗に設置された街頭端末またはパーソナルコンピュータを通じて利用できる。
【０１７３】
本実施形態では、多数のソースに配置することができる音楽、映画、およびオーディオブックのリストを統合し、単一のコンピュータシステムに送信するインターネットベースのコンピュータシステムが使用される。ユーザは携帯電話の電話番号を使用してシステムに対しユーザ自身を識別する。この電話番号はシステムからの購入物を検索するためにネットワークシステムにおいて使用される。
【０１７４】
本実施形態によれば、携帯電話のサービスプロバイダが支払を受け入れる場合、ユーザは携帯電話の口座を使用してコンテンツに対し支払を行うことが可能である。
【０１７５】
本実施形態に係るネットワークシステムはウェブページを表示するためのＨＴＭＬを使用することにより様々な携帯電話において機能することができる。
【０１７６】
各ウェブページにより、携帯電話は問い合わせ文字列を使用して現在の場所と変数をメインベンダサーバ８１６に送信し、ユーザが「戻る」ことなくシステムをナビゲートすることを可能とする。
【０１７７】
次に、図１２のフローチャートを参照し、携帯電話を使用してコンテンツを選択する処理について説明する。  
ユーザは、携帯電話８０２を使用してメインベンダサーバ８１６にアクセスする（ステップＳ１５０２）。メインベンダサーバ８１６から街頭端末８０８へ、カタログのＨＴＭＬファイルがＨＴＴＰを使用して送信される（ステップＳ１５０４）。カタログは携帯番号と購入を希望するコンテンツの情報（種類、量等）を入力するためのフォームを含む。携帯電話８０２は、カタログ情報を受信し、受信した情報を内部に記憶し、この情報に基づきディスプレイ上にカタログを表示して、コンテンツの選択を受け付ける（ステップＳ１５０６）。
【０１７８】
このようにして、読み取られた情報に対応するコンテンツ管理サーバに、コンテンツのカタログの要求情報を送信し、コンテンツ管理サーバから送信されるカタログの情報を受信し、受信された情報を記憶する処理が実現される。
【０１７９】
なお、カタログは多数の言語により記述されるカタログを含むものとしても良い。例えば、このような多言語に対応したカタログをメインベンダサーバ８１６に用意しておく。またメインベンダサーバ８１６に、携帯電話のブラウザの種類を検出するための変数であるＨＴＴＰ＿ＵＳＥＲ＿ＡＧＥＮＴの値と、携帯電話がそのテキストを表現する言語およびディスプレイスクリーンのサイズとを関係付けて記憶する。携帯電話からアクセスを受けたメインベンダサーバ８１６は、ウェブページを表示するためのＨＴＭＬを通じて、アクセス元のＨＴＴＰ＿ＵＳＥＲ＿ＡＧＥＮＴを取得する。そして、取得した値から言語を特定し、対応する言語のカタログを携帯電話８０２へ返信する。
【０１８０】
ユーザにより携帯電話８０２が操作され、コンテンツの選択が完了すると（ステップＳ１５０８）、ウェブページを表示するためのＨＴＭＬを通じて携帯電話８０２からメインベンダサーバ８１６へ、選択されたコンテンツの情報と携帯番号とを含む購入情報が送信される（ステップＳ１５１０）。
【０１８１】
メインベンダサーバ８１６は、受信した購入情報に基づいて、後にユーザが街頭端末８０８を使用してコンテンツをダウンロードする際に使用するプログラムを組み込んだＨＴＭＬファイルを作成する。このプログラムは、選択されたコンテンツをコンテンツ管理サーバからダウンロードするために使用される。作成されたＨＴＭＬファイルは、携帯番号と対応付けて記録される（ステップＳ１５１２）。
【０１８２】
次に、図１３のフローチャートを参照し、街頭端末８０８を使用してコンテンツを選択する処理について説明する。  
本工程のフローは、ユーザが店舗で街頭端末８０８に認可ＣＤを挿入するところから始まる。
【０１８３】
プログラムは認可ＣＤを検出すると（ステップＳ１６０２）、ディスクのセッションがオープン状態であっても低レベル入出力呼び出しを使用して、ディスクから直接セクタを読み出す（ステップＳ１６０４）。
【０１８４】
暗号化されたライセンス情報を含むＷＡＶファイルの一部はディスクから抽出される。ライセンス情報はＷＡＶファイルから抽出され復号される。
【０１８５】
プログラムはライセンス情報から有効性確認ＵＲＬを抽出する。そして、このＵＲＬにより特定される記録媒体管理サーバ８１２へ接続し、読み取られたライセンス情報中のディスク識別子が有効であることを確認する。記録媒体管理サーバ８１２は予め記憶したディスク識別子と受信下情報を照合して有効性を検証し、検証結果を街頭端末８０８へ返送する（ステップＳ１６０６）。ディスク識別子が有効であれば、以下の工程へ続く。
【０１８６】
次に、プログラムは、コンテンツを選択する際に使用した携帯電話番号の入力を受け付けるための画面をディスプレイ上に表示する（ステップＳ１６０８）。ユーザにより入力された携帯電話番号はメインベンダサーバ８１６に送信される。メインベンダサーバ８１６は、受信した携帯電話番号に対応するＨＴＭＬファイルを街頭端末８０８に送信する（ステップＳ１６１０）。
【０１８７】
街頭端末８０８は、ＨＴＭＬファイルを受信すると（ステップＳ１６１２）、受信したファイルに埋め込まれたプログラムを実行し、コンテンツ管理サーバ８１０へ、選択されたコンテンツのダウンロード要求を送信する（ステップＳ１６１４）。ここで、コンテンツの選択は、選択されたコンテンツの量が「コンテンツの配信に使用される単位」における「ディスクにより販売されるコンテンツの量」の値になったときに街頭端末８０８において自動的に完了することとしても良く、またユーザからの指示に応じて選択処理を完了することとしても良い。後者の場合、街頭端末８０８は選択するコンテンツの量を記録媒体に記録可能な最大量よりも少なくすることができる。
【０１８８】
ダウンロード要求には、選択されたコンテンツのレコードが含まれる。レコードはプログラム内のＨＴＴＰ  ＰＯＳＴコマンドをシミュレートすることによりインターネットＵＲＬへ送信される。街頭端末８０８上のプログラムからデータを受け取るために使用するコンテンツ管理サーバ上のプログラムは、送信されるレコードのフォーマットを受け取るために設計される。
【０１８９】
コンテンツ管理サーバ８１０は、受信したダウンロード要求に応答してコンテンツを選択し、暗号化して街頭端末８０８に送信する。
【０１９０】
街頭端末８０８は、コンテンツ管理サーバからのコンテンツを受信し（ステップＳ１６１６）、復号して認可ＣＤに記録する（ステップＳ１６１８）。
【０１９１】
次いで、ディスクへのコンテンツの記録が行われると、ディスク上に記録されたコンテンツについてのログを作成し、ロギングＵＲＬにより指定されるログ管理サーバ８１４に送信する（ステップＳ１６２０）。
【０１９２】
このようにして、コンテンツの記録に関するログを作成し、ライセンス情報に対応するログ管理サーバに、作成されたログを送信する処理が実現される。
【０１９３】
本実施形態では、認可ＣＤは街頭端末の使用に対する支払の方法となる。コンテンツに課される料金は認可ＣＤの料金に含めても良く、あるいは認可ＣＤの料金を街頭端末の利用料とし、コンテンツに課される料金はユーザの携帯電話の口座により支払うものとしても良い。この場合、街頭端末８０８はライセンス情報に含まれる「ディスクの小売価格」を参照し、選択されたコンテンツに対して支払う適切な価格であるかを検証しても良い。更に、検証結果に応じて携帯電話の口座への請求を行うかを判断しても良い。
【０１９４】
以上のようにして、記録媒体から、コンテンツ管理サーバの少なくとも１つおよび記録媒体に記録可能なコンテンツの量を特定する情報を含むライセンス情報を読み取り、ライセンス情報に対応するコンテンツ管理サーバに、ライセンス情報に対応する量の範囲内でコンテンツの要求情報を送信し、コンテンツ管理サーバから送信されるコンテンツを記録媒体に記録する処理が実現される。
【０１９５】
（第３実施形態）
次に、街頭端末にＵＳＢ等の接続手段を介してライセンス情報を含む携帯端末を接続し、この携帯端末から街頭端末にライセンス情報を読み込ませる実施形態について説明する。本実施形態に係る街頭端末は、携帯端末からライセンス情報を受信する。次いで、ライセンス情報に対応するコンテンツ管理サーバに、ライセンス情報に対応する量の範囲内でコンテンツの要求情報を送信する。そして、コンテンツ管理サーバから送信されるコンテンツを記録媒体に記録する。
【０１９６】
図１４は、本実施形態に係るネットワークシステムを概略的に示すシステム構成図である。このネットワークシステムは、携帯電話８０９がＵＳＢ接続により街頭端末８０８と接続される点を除き、図８に示すものと同様である。
【０１９７】
携帯電話８０９は、ＵＳＢ接続用インタフェースを有し、また内部にライセンス情報を記憶している。このライセンス情報は外部の装置からダウンロードして記憶することとしても良く、あるいはライセンス情報を予め記憶した着脱可能な記録媒体を携帯電話に装着することとしても良い。前者の場合は、第２実施形態のように携帯電話８０９を使用してコンテンツを選択した際に、メインベンダサーバ８１６において選択されたコンテンツに対応するライセンス情報を作成し、携帯電話８０９にダウンロードすることとしても良い。メインベンダサーバ８１６からのダウンロードは、図１２のステップＳ１５１２において行うものとしても良い。
【０１９８】
携帯電話８０９を使用してコンテンツを購入する際、ユーザは街頭端末８０８に携帯電話８０９を接続する。街頭端末８０８は、携帯電話８０８との接続を検出すると、図１３のステップＳ１６０４以降の処理を実行する。
【０１９９】
ステップＳ１６１８では、携帯電話８０９に送信してその内部の記憶装置に記憶する。この場合、コンテンツが記憶される記憶装置はフラッシュメモリ等の着脱可能なものであっても良く、また固定のものであっても良い。いずれの場合においても、街頭端末８０９に着脱可能な記録媒体として機能する。
【０２００】
なお、本実施形態に係る携帯端末として、携帯電話８０９に代えてＰＤＡ等の種々の端末を使用することができる。  
また、ＵＳＢに代えて短距離無線通信等の他の接続手段を用いてもよい。
【０２０１】
（他の実施形態）
上述の実施形態ではログ管理サーバ、コンテンツ管理サーバ、メインベンダサーバ、記録媒体管理サーバをそれぞれ異なるサーバコンピュータとして記述したが、これらの少なくとも２つが１つのハードウェアに実装されるものとしてもよい。また、各サーバコンピュータが複数のハードウェアから構成されるものであってもよい。
【０２０２】
また、上述の実施形態では街頭端末がコンテンツのダウンロードを実行する例について説明したが、メインベンダサーバにおいてＣＧＩを設計して、コンテンツ管理サーバから街頭端末へのダウンロードをメインベンダサーバが中継することとしても良い。
【０２０３】
また、上述の実施形態を組み合わせることも可能である。例えば、認可ＣＤから読み取ったライセンス情報に基づいてコンテンツをダウンロードして携帯端末に記録しても良い。あるいは、携帯電話から読み取ったライセンス情報に基づいてコンテンツをダウンロードしてブランクメディアに記録しても良い。
【０２０４】
上述した形態以外にも種々の変形が可能である。しかしながら、その変形が特許請求の範囲に記載された技術思想に基づくものである限り、その変形もまた本発明の技術範囲内となる。
【図面の簡単な説明】
【０２０５】
【図１】本発明の一実施形態に係るライセンス情報を含むコンパクトディスクの記録可能な面を示す図である。
【図２】本発明の一実施形態に係るディスクの有用性に影響を与えない方法でディスクにライセンス情報を埋め込むために使用される工程を説明する図である。
【図３】本発明の一実施形態に係るレコードの範囲内に含まれる情報の種類を示すライセンス情報を示す図である。
【図４】本発明の一実施形態に係るユーザがインターネット上に配置されたコンテンツをアクセスしダウンロードするシステムおよび本発明により動作するディスクを記録するために使用する基本的な構成要素を示す図である。
【図５】本発明によりユーザが複写元記録媒体から複写先記録媒体にコンテンツを記録するシステムを示す図である。
【図６】本発明によりディスク媒体に記録されたコンテンツを示すログエントリのサンプルを示す図である。
【図７】ライセンスデータを記録媒体に記録するために使用される方法を示す図である。
【図８】本発明の一実施形態に係るネットワークシステムを示すシステム構成図である。
【図９】本発明の一実施形態に係るサーバコンピュータのハードウェア構成を示すブロック図である。
【図１０】本発明の一実施形態に係るコンテンツの記録制御装置のハードウェア構成を示すブロック図である。
【図１１】本発明の一実施形態に係るコンテンツの記録制御方法の手順を示すフローチャートである。
【図１２】本発明の一実施形態に係るコンテンツの記録制御方法におけるデータフローを示す図である。
【図１３】本発明の一実施形態に係るコンテンツの記録制御方法の手順を示すフローチャートである。
【図１４】本発明の一実施形態に係るネットワークシステムを示すシステム構成図である。
【符号の説明】
【０２０６】
１１０  ライセンスエリア
１２０  ブランクエリア
１３０  ライセンス情報
１４０  オーディオトラック
２００  記録媒体
２１０  ユーザコンピュータシステム
２２０  デスクトップアプリケーション
２３０  コンテンツ管理サーバ
２４０  複写元媒体
２５０  記録媒体
２６０  ログ管理サーバ
２７０  ユーザコンピュータシステム
８００  インターネット
８０２  携帯電話
８０４  ＰＤＡ
８０６  ＰＣ
８０８  街頭端末
８０９  携帯電話
８１０  コンテンツ管理サーバ
８１２  記録媒体管理サーバ
８１４  ログ管理サーバ
８１６  メインベンダサーバ
【図１】
2005326903.tif 000003
【図２】
2005326903.tif 000004
【図３】
2005326903.tif 000005
【図４】
2005326903.tif 000006
【図５】
2005326903.tif 000007
【図６】
2005326903.tif 000008
【図７】
2005326903.tif 000009
【図８】
2005326903.tif 000010
【図９】
2005326903.tif 000011
【図１０】
2005326903.tif 000012
【図１１】
2005326903.tif 000013
【図１２】
2005326903.tif 000014
【図１３】
2005326903.tif 000015
【図１４】
2005326903.tif 000016